【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
オーディオ信号入力を受信するステップと、
前記オーディオ信号入力を複数の周波数帯に分離するステップと、
該複数の周波数帯の各々を圧縮するステップであって、該複数の周波数帯の各周波数帯を圧縮することは、圧縮されたそれぞれの周波数帯という結果となる、それぞれの周波数帯に対するモデル化された抑制レベルに基づいて、時変利得を各周波数帯に適用することを含む、ステップと、
を含むオーディオ信号を処理する方法であって、
前記それぞれの周波数帯に対する前記抑制レベルは、利得が適用される前記それぞれの周波数帯に隣接している１つ以上の周波数帯の瞬間的な前記オーディオ信号入力のレベルに依存しており、オーディオ信号出力を提供するのに使用するために、前記圧縮されたそれぞれの周波数帯を結合する、方法。
【請求項２】
オーディオ信号入力と、
該オーディオ信号入力を複数の周波数帯に分離するように構成され、該複数の周波数帯の各々を圧縮するようにさらに構成される処理装置と、
を備える圧縮システムであって、
前記複数の周波数帯の各周波数帯を圧縮することは、圧縮されたそれぞれの周波数帯という結果となる、それぞれの周波数帯に対するモデル化された抑制レベルに基づいて、時変利得を各周波数帯に適用することを含み、
それぞれの周波数帯に対する前記抑制レベルは、利得が適用される前記それぞれの周波数帯に隣接している１つ以上の周波数帯の瞬間的な前記オーディオ信号入力のレベルに依存しており、
前記処理装置は、オーディオ信号出力を提供するのに使用するために、前記圧縮されたそれぞれの周波数帯を結合するようにさらに構成される、圧縮システム。
【請求項３】
音圧信号をオーディオ信号入力に変換するように構成された入力トランスデューサ装置と、
該オーディオ信号入力を複数の周波数帯に分離するように構成され、該複数の周波数帯の各々を圧縮するように構成される処理装置であって、
該複数の周波数帯の各周波数帯を圧縮することは、圧縮されたそれぞれの周波数帯という結果となる、それぞれの周波数帯に対するモデル化された抑制レベルに基づいて、時変利得を各周波数帯に適用することを含み、
前記それぞれの周波数帯に対する前記抑制レベルは、利得が適用される前記それぞれの周波数帯に隣接している１つ以上の周波数帯の瞬間的な前記オーディオ信号入力のレベルに依存しており、
前記処理装置は、オーディオ信号出力を提供するのに使用するために、前記圧縮されたそれぞれの周波数帯を結合するようにさらに構成される、処理装置と、
前記オーディオ信号出力に基づいて、音圧信号を提供するように構成された出力トランスデューサ装置と、
を備える補聴器システム。
【請求項４】
それぞれの周波数帯に対する抑制レベルに基づいて、時変利得を各周波数帯に適用することは、それぞれの周波数帯に対する通常の二音抑制に基づいた方程式を使用して、それぞれの周波数帯に対する前記抑制レベルを決定することを含む、請求項１に記載の方法。
【請求項５】
前記それぞれの周波数帯の１つ以上の前記オーディオ信号は、それぞれの周波数帯に対して、抑制レベルに基づいて変化する量だけ遅延させられる、請求項１または４に記載の方法。
【請求項６】
前記オーディオ信号入力を複数の周波数帯に分離するステップは、前記オーディオ信号入力を複数の隣接する周波数帯に分離するステップを含み、さらに、それぞれの周波数帯に対する前記抑制レベルは、利得が適用される前記それぞれの周波数帯に隣接している１つ以上の周波数帯の瞬間的な前記オーディオ信号入力のレベルに依存している、請求項１、４または５に記載の方法。
【請求項７】
前記それぞれの周波数帯に対する前記抑制レベルは、利得が適用される前記それぞれの周波数帯に隣接している前記１つ以上の周波数帯の抑制強度の対数関数的変換である、請求項１、４、５または６に記載の方法。
【請求項８】
前記抑制強度は、前記それぞれの周波数帯に隣接している複数の周波数帯に対応する複数のチャネル固有抑制強度の合計であり、さらに、チャネル固有抑制強度の各々は、前記複数の周波数帯の対応する周波数帯の前記オーディオ信号入力のレベルの線形関数である指数を有する、請求項７に記載の方法。
【請求項９】
前記それぞれの周波数帯に対する時変利得は、前記抑制レベルの区分線形関数である、請求項１、４、５、６、７または８に記載の方法。
【請求項１０】
それぞれの周波数帯に対する抑制レベルに基づいて、各周波数帯に適用される時変利得は、一定の利得であり、前記抑制レベルが指定された圧縮開始レベルより下にあるとき、指定された圧縮終了レベルの上の一定の利得であり、圧縮開始レベルと圧縮終了レベルとの間の中間レベルにあるとき、前記利得は、抑制レベルの線形関数として減少する、請求項９に記載の方法。
【請求項１１】
周波数帯ごとの圧縮開始レベルは、正常の聴力の耳では「非常に柔らかい」として感知される音圧レベルであって、この圧縮開始レベルで適用される利得は、「非常に柔らかい」感知のために聴覚障害をもつ個人によって必要とされる過剰な音圧レベルに基づいたものである、請求項１０に記載の方法。
【請求項１２】
周波数帯ごとの前記圧縮開始レベルは、正常の聴力の耳に対するトーンを聞く閾値における音圧レベルであって、この圧縮開始レベルで適用される利得は、同一のトーン閾値に対する聴覚障害をもつ個人によって必要とされる過剰な音圧レベルに基づいたものである、請求項１０に記載の方法。
【請求項１３】
周波数帯ごとの前記圧縮終了レベルは、正常の聴力の耳では「非常に大きい」として感知される音圧レベルであって、この圧縮終了レベルで適用される利得は、「非常に大きい」感知のために聴覚障害をもつ個人によって必要とされる過剰な音圧レベルに基づいたものである、請求項１０に記載の方法。
【請求項１４】
前記それぞれの周波数帯の１つ以上の前記オーディオ信号は、それぞれの周波数帯に対して、抑制レベルに基づいて変化する量だけ遅延させられる、請求項１０に記載の方法。
【請求項１５】
追加された前記遅延は、前記圧縮開始レベルの下で一定であり、前記遅延は、前記圧縮終了レベルより上でゼロであり、前記遅延は、中間抑制レベルにおいて、減少関数である、請求項１４に記載の方法。
【請求項１６】
それぞれの周波数帯に対する前記抑制レベルは、前記それぞれの周波数帯の瞬間的な音声信号レベルにほぼ等しい、請求項１、４、５、６、７、８、９、１０、１１、１２、１３、１４または１５に記載の方法。
【請求項１７】
各周波数帯に前記時変利得を適用することは、それぞれの周波数帯に対する通常の二音抑制に基づいた方程式を使用して決定されたそれぞれの周波数帯に対する抑制レベルに基づいて、複数の順次の時間に時変利得を適用することを含み、隣接した順次の時間の間の中間の時間ステップにおける前記時変利得は、前記隣接した順次の時間の間で、線形に補間される、請求項１、４、５、６、７、８、９、１０、１１、１２、１３、１４、１５または１６に記載の方法。
【請求項１８】
前記オーディオ信号入力は、振幅と位相成分の両方を含む複素数値入力信号を含む、請求項１、４、５、６、７、８、９、１０、１１、１２、１３、１４、１５、１６または１７に記載の方法。
【請求項１９】
複数の周波数帯の帯域幅は、高周波遅延が５ミリ秒以下であるように隣接し、サイズ設定をされる、請求項１、４、５、６、７、８、９、１０、１１、１２、１３、１４、１５、１６、１７または１８に記載の方法。
【請求項２０】
前記方法は、周波数に特有の時間と位相調整を、オーディオ信号出力に、可聴周波数の全体の範囲にわたりよりフラットな遅延の方へ動かせるために、オーディオ信号入力に適用するステップを更に含む、請求項１、４、５、６、７、８、９、１０、１１、１２、１３、１４、１５、１６または１７に記載の方法。
【請求項２１】
周波数固有時間および位相調整が、サプレッサの合計された出力に、可聴周波数の全範囲にわたって最もフラットな可能な遅延を持たせることによって過渡的信号の保存を改善するために入力信号に適用される、請求項１、４、５、６、７、８、９、１０、１１、１２、１３、１４、１５、１６、１７、１８、１９または２０に記載の方法。
【請求項２２】
請求項１、４、５、６、７、８、９、１０、１１、１２、１３、１４、１５、１６、１７、１８、１９、２０または２１に記載の方法を使用して、抑制レベルに基づいて、オーディオ信号を圧縮するためのシステム。